(57)【要約】【課題】  従来の画像診断装置では、Ｂモード画像の鉛直方向の画像しか表示できないという点である。【解決手段】  １は被検体に複数の超音波振動子からなる超音波探触子、２はＣＰＵからなる制御装置、３は送受信器、４は送受信器３の受信機からの受信出力を送受信器３の受信機からの受信出力を送受信器３の受信機からの受信出力をデジタル信号に変換するＡ／Ｄ変換器、５は画像処理回路、６はメモリ、７は表示装置であり、本実施例では、画像処理回路５に所望の１ライン入力装置９を接続し、又、画像処理回路５にアドレス作成回路１０を接続する。【選択図】図１
2005312837.tif 000002
【特許請求の範囲】
【請求項１】
被検体に接触させて、超音波を照射する超音波探触子と、該超音波探触子に発振信号を送信し、前記超音波探触子からの超音波信号の反射信号を受信する送受信器と、該送受信器からの反射信号をデジタル信号に変換するＡ／Ｄ変換器と、該Ａ／Ｄ変換器からのデジタル信号を順次取り込む画像処理部と、該画像処理部で処理したＢ画像信号を順次記憶するメモリと、該メモリに記憶されたＢ画像信号を表示画面の片側に表示する表示装置と、前記画像処理部に接続されたライン入力装置と、該ライン入力装置により入力された所望の１ラインと前記Ｂ画像信号の交点からアドレスを作成するアドレス作成回路とからなり、前記Ｂ画像信号と所望の１ラインとの交点から作成されたアドレスにより前記メモリに記憶された信号を読み出して、前記表示装置の他方側の表示画面に表示することを特徴とする超音波診断装置。
【発明の詳細な説明】
【技術分野】
【０００１】
本発明は、超音波のワンショット毎の画像における所望のラインとの交点の画像を表示するようにした超音波診断装置に関するものである。
【背景技術】
【０００２】
従来、図３に示すように、被検体に複数の超音波振動子からなる超音波探触子１接触させ、ＣＰＵからなる制御装置２で送受信器３を駆動し、この超音波探触子１の複数の超音波振動子に切り替え回路によって発振器から順次発振信号を送信し、又、複数の超音波振動子１で被検体からのエコーを検出するために、切り替え回路に受信機が接続された送受信器３を接続し、この送受信器３の受信機からの受信出力をＡ／Ｄ変換器４でデジタル信号に変換し、このＡ／Ｄ変換器４の出力を画像処理回路５で画像処理して、この画像処理回路５の出力をメモリ６で記憶し、メモリ６に記憶されたエコー信号を順次読み出して、図３に示すように、表示装置７の表示画面７ａにＢモード画像７ｂを表示し、スキャンコンバータ８によって、図４に示すように、表示装置７の表示画面７ａにＢモード画像７ｂを表示し、さらに、Ｂモード画像７ｂのＭモード像を表示したい任意の走査ラインを指定することによって、表示ライン７ｃを表示させ、このライン７ｃ上の受信信号の連続する動きをＢモード画像７ｄとして表示するようにした超音波診断装置が提案されている。
【０００３】
しかしながら、このＭモード画像は、Ｂモード画像の超音波信号の一方向の画面しか設定表示できないという問題があった。
【発明の開示】
【発明が解決しようとする課題】
【０００４】
解決しようとする問題点は、従来の画像診断装置では、Ｂモード画像の超音波信号の一方向の画像しか表示できないという点である。
【課題を解決するための手段】
【０００５】
本発明では、ライン入力装置により入力された所望の１ラインと前記Ｂ画像信号のワンショット毎の交点からアドレスを作成するアドレス作成回路とからなり、前記Ｂ画像信号と所望の１ラインとの交点から作成されたアドレスにより前記メモリに記憶された信号を読み出して、前記表示装置の他方の表示面に表示するように構成する。
【発明の効果】
【０００６】
本発明の超音波診断装置では、Ｂモード画像信号と所望の１ラインとの交点から作成された画像をＭ画像として表示することにより、この所望の１ライン上の超音波の強弱を表示することにより、被検体の組織等の時間的な動きの違いを明瞭に被検体することができるという利点がある。
【実施例】
【０００７】
図１は本発明の実施例の超音波診断装置の超音波探触子の構成図で、１は超音波探触子、２は制御装置、３は送受信器、４はＡ／Ｄ変換器、５は画像処理回路、６はメモリ、７は表示装置であり、これらの構成は上記従来例と同じであるので、説明は省略するが、本実施例では、画像処理回路５に所望の１ライン入力装置９を接続し、又、画像処理回路５にアドレス作成回路１０を接続する。
【０００８】
このように構成された本実施例では、まず、複数の超音波振動子からなる超音波探触子１に制御装置２で送受信器３を駆動して、送受信器３の発振器から切り替え回路を介して超音波探触子１に発振信号を送信し、超音波探触子１から被検体に超音波を入力し、被検体からのエコー信号を超音波探触子１で受信し、送受信器２の切り替え回路で順次切り替えて、送受信器３の受信機で受信し、送受信器３の受信機からの受信出力をＡ／Ｄ変換器４でデジタル信号に変換し、このＡ／Ｄ変換器４の出力を画像処理回路５で画像処理して、この画像処理回路５の出力をメモリ６で記憶し、メモリ６に記憶されたエコー信号を順次読み出して、図４に示すように、表示装置７の表示画面７ａにＢモード画像７ｂを表示し、又、１ライン入力装置９から入力された所望の１ライン７ｅを図４に示すように表示装置７の表示画面７ａに表示されたＢモード画像７ｂの上に表示し、この所望の１ライン７ｅとＢモード画像のそれぞれの交点とからアドレス作成回路１０でそれぞれアドレスを作成し、このアドレスにより、メモリ６から所望の１ライン７ｅとＢモード画像７ｂのそれぞれの交点の画像信号を読み出して、表示装置７の他方の表示画面７ｄに超音波探触子１で送受信した超音波の強弱をＭモード画像７ｆとして表示する。
【０００９】
このように構成された本実施例では、１ライン入力装置９から超音波探触子１から照射される超音波の照射方向とは無関係にラインを設定し、このラインとＢモード画像との交点の超音波の強弱をＭモード画像７ｆとして表示することにより、表示画面７ｄには、１ライン７ｅで設定した超音波探触子１から被検体の深さ方向による超音波の強弱が表示されるので、被検体の組織等の時間的な動きの違いを明瞭に表示することができる。
【産業上の利用可能性】
【００１０】
上記実施例では、画像処理回路に１ライン入力装置を接続したが、Ｂモード画像を作成する時に、メモリの前にゲート回路を接続し、ゲート回路のオン時間を順次遅らせることにより、同様に所望の１ラインを作成することができる。
【図面の簡単な説明】
【００１１】
【図１】本発明の実施例の超音波診断装置のブロック図である。
【図２】図１の超音波診断装置により作成した画面を示した図である。
【図３】従来の超音波診断装置のブロック図である。
【図４】図３の従来の超音波診断装置により作成した画面を示した図である。
【符号の説明】
【００１２】
１                超音波探触子
２                制御装置
３                送受信器
４                Ａ／Ｄ変換器
５                画像処理回路
６                メモリ
７                表示装置
９                １ライン入力装置
１０              アドレス作成回路
【図１】
2005312837.tif 000003
【図２】
2005312837.tif 000004
【図３】
2005312837.tif 000005
【図４】
2005312837.tif 000006